(57)【要約】【目的】  放送波受信断後の受信復帰時やチャンネル切替時において、極力、映像非表示の状態を回避することができるディジタル放送受信装置を提供する。【構成】  受信電波状況が悪化してＩＤＲフレームを取得できなかったような場合には、表示部３６の画面に何も映し出されないといったことが生じるおそれがあるが、この発明においては、放送波の受信状況悪化によって受信映像の表示不能状態となったとき、ＣＰＵ１３は、メモリ１４に格納されている映像データを読み出し、これをＩＤＲフレームとしてＡＶデコーダ４に与える。ＡＶデコーダ４は、前記映像データを復号映像データとして出力する（表示部３６には前記映像データが表示される）とともに、受信可能状態となって新たに受信できたのがｎｏｎ＿ＩＤＲフレームであるときには、当該ｎｏｎ＿ＩＤＲフレームと前記映像データとの差分に基づいて映像を生成する。【選択図】        図２
2006174209.tif 000002
【特許請求の範囲】
【請求項１】
受信した地上ディジタル放送波を復調してストリームを生成し、このストリームからそれ自体でデコードが可能な独立フレーム及び前記独立フレームを参酌してデコードが行える付随フレーム群を生成し、前記フレームをデコードして映像データを生成するように構成されたディジタル放送受信装置において、メモリに保持している映像データを出力する手段を備えており、放送受信機能の起動時、放送波の受信状況悪化時、及びチャンネル切替時の少なくとも一つにおける映像表示不能期間が生じた場合で、その後に新たに受信できたのが付随フレームであるときには、当該付随フレームと前記メモリに保持されている映像データとによって映像デコードを行うように構成されたことを特徴とするディジタル放送受信装置。
【請求項２】
請求項１に記載のディジタル放送受信装置において、前記保持している映像データは、単一色映像データ、繰り返し模様映像データ、受信不能等を示す映像データ又はユーザによって選択された任意の映像データであることを特徴とするディジタル放送受信装置。
【請求項３】
請求項１に記載のディジタル放送受信装置において、最新の受信映像をメモリに一時的に記憶する手段を備えており、前記保持している映像データは、前記メモリに一時的に記憶されている最新の受信映像であることを特徴とするディジタル放送受信装置。
【請求項４】
請求項３に記載のディジタル放送受信装置において、前記最新の受信映像をメモリに一時的に記憶する手段は、複数のチャンネルについて最新の受信映像を保持するように構成されており、選局されたチャンネルについて保持している最新の受信映像をデコードに利用するように構成されたことを特徴とするディジタル放送受信装置。
【請求項５】
請求項１に記載のディジタル放送受信装置において、放送映像中の最新の映像を提供しているサーバにアクセスして最新の映像を取得するネット接続機能と、最新の取得映像をメモリに一時的に記憶する手段と、を備えており、前記保持している映像データは、前記メモリに一時的に記憶されている最新の取得映像であることを特徴とするディジタル放送受信装置。
【請求項６】
請求項５に記載のディジタル放送受信装置において、前記最新の取得映像をメモリに一時的に記憶する手段は、複数のチャンネルについて最新の取得映像を保持するように構成されており、選局されたチャンネルについて保持している最新の取得映像をデコードに利用するように構成されたことを特徴とするディジタル放送受信装置。
【請求項７】
請求項１又は請求項２に記載のディジタル放送受信装置において、放送受信による最新の受信映像又はネット接続によって得た最新の取得映像を第２メモリに一時的に記憶する手段と、受信映像の表示不能状態となった時点からの時間を計測する手段と、を備え、受信映像の表示不能状態となってから所定時間以内に受信可能状態となったときには、前記メモリから読み出した映像データではなく、前記第２メモリに保持されている最新の受信映像又は最新の取得映像と付随フレームとによって映像デコードを行うように構成されたことを特徴とするディジタル放送受信装置。
【請求項８】
請求項３乃至請求項６のいずれかに記載のディジタル放送受信装置において、第２メモリに保持している映像データを出力する手段と、受信映像の表示不能状態となった時点からの時間を計測する手段と、を備え、受信映像の表示不能状態となってから所定時間を超えて受信可能状態となったときには、前記メモリから読み出した最新の受信映像又は最新の取得映像ではなく、前記第２メモリに保持されている映像と付随フレームとによって映像デコードを行うように構成されたことを特徴とするディジタル放送受信装置。
【請求項９】
請求項１乃至請求項８のいずれかに記載のディジタル放送受信装置において、地上ディジタル放送を受信する携帯型又は移動型として構成されたことを特徴とするディジタル放送受信装置。
【発明の詳細な説明】
【技術分野】
【０００１】
この発明は、地上ディジタル放送を受信するディジタル放送受信装置に関する。
【背景技術】
【０００２】
地上ディジタル放送サービスでは、携帯電話などの移動体を対象とした１セグメントサービスが予定されている。また、ディジタル放送においては、チャンネル切替時において受信映像が表示されるまでに比較的時間がかかるが、このような問題を解決することも試みられている（特許文献１、特許文献２参照）。
【特許文献１】特開平１０−１９０６１７号公報
【特許文献２】特開２０００−２９５５４０号公報
【発明の開示】
【発明が解決しようとする課題】
【０００３】
ところで、前述した１セグメントサービスの映像符号化方式として、Ｈ．２６４が採用される予定である。そして、この符号化方式では、映像のデコードに必要なＩＤＲフレームが２秒から５秒間隔で挿入されるため、放送波受信断後の受信復帰時やチャンネル切替時において、映像表示開始までに時間がかかると予想される。
【０００４】
この発明は、上記の事情に鑑み、放送波受信断後の受信復帰時やチャンネル切替時において、極力、映像非表示の状態となるのを回避することができるディジタル放送受信装置を提供することを目的とする。
【課題を解決するための手段】
【０００５】
この発明のディジタル放送受信装置は、上記課題を解決するために、受信した地上ディジタル放送波を復調してストリームを生成し、このストリームからそれ自体でデコードが可能な独立フレーム及び前記独立フレームを参酌してデコードが行える付随フレーム群を生成し、前記フレームをデコードして映像データを生成するように構成されたディジタル放送受信装置において、メモリに保持している映像データを出力する手段を備えており、放送受信機能の起動時、放送波の受信状況悪化時、及びチャンネル切替時の少なくとも一つにおける映像表示不能期間が生じた場合で、その後に新たに受信できたのが付随フレームであるときには、当該付随フレームと前記メモリに保持されている映像データとによって映像デコードを行うように構成されたことを特徴とする（以下、この項において第１構成という）。
【０００６】
上記第１構成であれば、前記映像表示不能期間が生じた場合で、その後に新たに受信できたのが付随フレームであるときには、当該付随フレームと前記メモリに保持されている映像データとによって映像デコードを行うので、ユーザは前記メモリに保持されている映像データによる映像が画面上で徐々に変化していくのを見ることになり、極力、映像非表示の状態となるのが回避される。
【０００７】
上記第１構成のディジタル放送受信装置において、前記保持している映像データは、単一色映像データ、繰り返し模様映像データ、受信不能等を示す映像データ又はユーザによって選択された任意の映像データであるのがよい。
【０００８】
或いは、上記第１構成のディジタル放送受信装置において、最新の受信映像をメモリに一時的に記憶する手段を備えており、前記保持している映像データは、前記メモリに一時的に記憶されている最新の受信映像としてもよい（以下、この項において第２構成という）。第２構成において、前記最新の受信映像をメモリに一時的に記憶する手段は、複数のチャンネルについて最新の受信映像を保持するように構成されており、選局されたチャンネルについて保持している最新の受信映像をデコードに利用するように構成されていてもよい。
【０００９】
前記第１構成のディジタル放送受信装置において、放送映像中の最新の映像を提供しているサーバにアクセスして最新の映像を取得するネット接続機能と、最新の取得映像をメモリに一時的に記憶する手段と、を備えており、前記保持している映像データは、前記メモリに一時的に記憶されている最新の取得映像であることとしてもよい（以下、この項において第３構成という）。第３構成において、前記最新の取得映像をメモリに一時的に記憶する手段は、複数のチャンネルについて最新の取得映像を保持するように構成されており、選局されたチャンネルについて保持している最新の取得映像をデコードに利用するように構成されていてもよい。
【００１０】
第１構成及びこれに従属する構成において、放送受信による最新の受信映像又はネット接続によって得た最新の取得映像を第２メモリに一時的に記憶する手段と、受信映像の表示不能状態となった時点からの時間を計測する手段と、を備え、受信映像の表示不能状態となってから所定時間以内に受信可能状態となったときには、前記メモリから読み出した映像データではなく、前記第２メモリに保持されている最新の受信映像又は最新の取得映像と付随フレームとによって映像デコードを行うように構成されていてもよい。
【００１１】
第２構成及び第３構成及びこれらに従属する構成において、第２メモリに保持している映像データを出力する手段と、受信映像の表示不能状態となった時点からの時間を計測する手段と、を備え、受信映像の表示不能状態となってから所定時間を超えて受信可能状態となったときには、前記メモリから読み出した最新の受信映像又は最新の取得映像ではなく、前記第２メモリに保持されている映像と付随フレームとによって映像デコードを行うように構成されていてもよい。
【００１２】
これら構成のディジタル放送受信装置は、地上ディジタル放送を受信する携帯型又は移動型として構成されていてもよい。
【発明の効果】
【００１３】
この発明によれば、放送波受信断後の受信復帰時やチャンネル切替時等において、極力、映像非表示の状態を回避することができるという効果を奏する。
【発明を実施するための最良の形態】
【００１４】
以下、この発明の実施形態のディジタル放送受信装置を図１乃至図３に基づいて説明する。なお、ここでは、ＴＶ付き携帯電話として構成された地上ディジタル放送受信装置を例示している。
【００１５】
図１はＴＶ付き携帯電話１０を示したブロック図である。このＴＶ付き携帯電話１０は、電話機能部３０とディジタル放送受信部２０とを備えて成る。電話機能部３０は、制御部３１と、無線通信部３２と、音声処理部３３と、メモリ部３４と、キー入力部（操作部）３５と、表示部（例えば、液晶パネル）３６と、データ処理部３７とを備えて成る。通常の電話処理において受信した音声信号は音声処理部３３を介してスピーカ３８に与えられる一方、ユーザの発した音声はマイク３９にて音声信号となり、音声処理部３３で増幅等の処理がなされた音声信号は無線通信部３２によって送出される。データ処理部３７は受信したパケットに対する処理を行う。無線通信部３２は、音声やデータの送受信処理、基地局との間での所定のプロトコル処理（送信時処理、受信時処理）を行う。制御部３１は電話機能部３０における全体制御を行うと共に、ディジタル放送受信部２０との間の連携のための処理を行う。例えば、基本的な処理として、キー入力部３５においてテレビ機能起動キーがＯＮ操作されたときには、ディジタル放送受信部２０にＯＮ指令を与え、ディジタル放送受信部２０から出力される映像を表示部３６に与える処理や、キー入力部３５のテンキーが操作されたときに、その番号をチャンネル番号とする選局指令をディジタル放送受信部２０に与える処理などを行う。
【００１６】
前記制御部３１はメール処理部やＷｅｂクライアント部としても機能する。無線通信部３２は、Ｗｅｂクライアント部の動作時の通信処理、メール通信動作時の通信処理などを行う。Ｗｅｂクライアント部として機能する制御部３１は、インターネット上に存在するリソースへの到達方法を特定する表記（ＵＲＬ等）を送信する処理、リソース側から送信されてくるファイルをメモリ部３４に格納する処理やファイルを解釈して表示画像データを生成する処理等を行う。メール送受信部として機能する制御部３１は、インターネット上のメールサーバからメールを受信したり、或いはメールサーバにメールアドレス及びメール文を送信する処理を行う。
【００１７】
次に、ディジタル放送受信部２０を図２に基づいて説明していく。地上アンテナ１は受信した信号を地上波ディジタルチューナ２に与える。地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１８】
デマルチプレクサ（ＤＥＭＵＸ）３は、前記トランスポート・ストリームを、ＩＥＥＥにおけるＨ．２６４などのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号、リモートコントロールキーＩＤ）などに分離する。デマルチプレクサ３は、ビデオストリームとオーディオストリームをＡＶデコーダ４に供給し、ＰＳＩ／ＳＩや放送情報等（これら情報を番組情報という）をＣＰＵ１３に供給する。
【００１９】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データはフレームバッファメモリ５に出力され、音声データは音声処理回路６に出力される。
【００２０】
フレームバッファメモリ５はＡＶデコーダ４から最新の１フレーム分の映像データを受け取り、これを描画メモリ（ＶＲＡＭ）７に供給する。この描画メモリ７の内容が表示部３６において表示される。音声処理回路６はＡＶデコーダ４から出力された音声データを受け取ってＤ／Ａ変換を行い、例えば右（Ｒ）音のアナログ信号及び左（Ｌ）音のアナログ信号を生成する。これら音声信号はスピーカ３８又は通話用とは別に設けられた図示しないスピーカに供給される。
【００２１】
メモリ（例えば、ＲＡＭ、ＥＥＰＲＯＭ、フラッシュメモリ等）１４には、チャンネルテーブル（周波数情報や放送局名等をリモートコントロールキーＩＤやチャンネル番号に対応させたチャンネルリスト）などが格納される。また、メモリ１４には、映像データ（静止映像データ）が格納される。この映像データは、単一色映像データ（例えば、白色、黒色、灰色、青色等の映像データ）、或いは、繰り返し模様映像データ（例えば、市松模様、ストライプ模様、斜めストライプ模様等）、或いは、受信不能等を示す映像データ（メッセージ画像や図柄）、ユーザによって選択された任意の映像データ（ユーザがダウンロードした映像のなかから選択した映像、或いは、カメラ機能を備える場合にはユーザが撮影した映像等）である。
【００２２】
ＣＰＵ１３はＯＳＤ（オンスクリーンディスプレイ）機能を備えており、文字情報や色情報に基づく映像データを描画メモリ７に書き込む。また、ＣＰＵ１３は、メモリ１４に格納されている映像データを読み出し、これをＩＤＲフレーム（後で説明する）としてＡＶデコーダ４に与える。また、ＣＰＵ１３は、外部入出力インターフェイス９を介して電話機能部３０と情報の遣り取りを行う。また、ＣＰＵ１３は、ディジタル放送受信部２０によるチャンネルサーチ処理及びそのサーチ結果（チャンネルテーブル）を利用した選局処理等を行うことが可能である。
【００２３】
ところで、地上ディジタル放送では、放送データは、先述したように、トランスポート・ストリーム・パケット（Ｔｒａｎｓｐｏｒｔ  Ｓｔｒｅａｍ  Ｐａｃｋｅｔ）と呼ばれる固定長のデータからなるトランスポート・ストリーム（Ｔｒａｎｓｐｏｒｔ  Ｓｔｒｅａｍ）で構成されている。各ＴＳパケットには映像データ、音声データなどの各データによってＰＩＤが割り振られており、ＰＩＤによってデマルチプレクサ３は各データを分離する。
【００２４】
地上波ディジタル放送の携帯電話用放送において、映像符号化方式はＩＥＥＥのＨ．２６４が採用される。Ｈ．２６４に含まれるフレームには、ＩＤＲフレーム（独立フレーム）とｎｏｎ＿ＩＤＲフレーム（付随フレーム）があり、ＩＤＲフレームからデコードすると正常にデコードができることが保証されており、ＩＤＲフレームは確実にデコードすることが必要になる。
【００２５】
受信電波状況が悪化してＩＤＲフレームを取得できなかったような場合には、表示部３６の画面に何も映し出されないといったことが生じるおそれがあるが、この発明においては、放送波の受信状況悪化によって受信映像の表示不能状態となったとき（ＡＶデコーダ４からデコード不能の通知、チューナ２から誤り訂正不能の通知をＣＰＵ１３が受けたとき、或いはチューナ２からの受信電波強度信号に基づいて放送波受信不能とＣＰＵ１３が判断したとき等）、ＣＰＵ１３は、メモリ１４に格納されている映像データを読み出し、これをＩＤＲフレームとしてＡＶデコーダ４に与える。ＡＶデコーダ４は、前記映像データを復号映像データとして出力する（表示部３６には前記映像データが表示される）とともに、受信可能状態となって新たに受信できたのがｎｏｎ＿ＩＤＲフレームであるときには、当該ｎｏｎ＿ＩＤＲフレームと前記映像データとの差分を補完することによって（デコード処理によって）映像を生成する。これにより、前記映像データが例えば灰色一色の映像であったならば、受信不能となった直後には表示部３６には灰色一色の映像が表示されるとともに、この映像と受信したｎｏｎ＿ＩＤＲフレームとの差分に基づく映像が次々と作成されていき、灰色映像が徐々に変化していく映像をユーザは表示部３６において見ることになる。
【００２６】
上記の例では灰色一色等の映像データをデコードに利用したが、受信不能が生じる前の最新の画像をデコードに利用してもよい。前述のごとく、フレームバッファメモリ５に常に最新のデコード映像が１フレーム分保持される。そして、受信不能が生じたときには、ＣＰＵ１３の指令によってＡＶデコーダ４の生成データがフレームバッファメモリ５に書き込まれるのを停止する（これにより、前記最新のデコード映像（受信不能状態となったときの最後の映像）が表示部３６に表示される。その後、ＡＶデコーダ４は、受信可能状態となって新たに受信できたのがｎｏｎ＿ＩＤＲフレームであるときには、当該ｎｏｎ＿ＩＤＲフレームと前記受信不能状態となったときの最後の映像との差分に基づいて（デコード処理によって）映像を生成する。これにより、受信不能となったときに表示部３６には前記受信不能状態となったときの最後の映像が表示されるとともに、この映像と受信したｎｏｎ＿ＩＤＲフレームとの差分による映像が次々と作成されていき、前記受信不能状態となったときの最後の映像が徐々に変化していく映像をユーザは表示部３６において見ることになる。
【００２７】
また、前記受信不能が生じてから、所定時間（例えば、１〜２秒等）以内に放送波を受信できる状態に復帰した場合においては、前記受信不能状態となったときの最後の映像に基づく表示及び当該映像を利用した受信復帰後のデコード処理を行う一方、前記所定時間の経過後に放送波を受信できる状態に復帰した場合においては、前述の灰色一色等の映像データの表示及び当該映像を利用した受信復帰後のデコード処理を行うようにしてもよい。
【００２８】
図３は上述した処理の内容を示したフローチャートである。受信不能となったとき（ステップＳ１でＹＥＳ）、タイマー（図示せず）を始動させ（ステップＳ２）、再び受信できるようになったかどうかを判断する（ステップＳ３）。受信可能となったときには、所定時間が経過しているかどうかを判断し（ステップＳ４）、更に、受信できたフレームがＩＤＲフレームかどうかを判断する（ステップＳ５，ステップＳ８）。所定時間が経過した場合の受信復帰でｎｏｎ＿ＩＤＲフレームを受信した場合（ステップＳ５でＮＯ）、映像データの表示及び当該映像を利用したデコード処理を行い（ステップＳ６，Ｓ７）、ステップＳ５に進む。ステップＳ５からステップＳ７の繰り返しのなかでＩＤＲフレームを受信できたときには（ステップＳ５でＹＥＳ）、ステップＳ１１に進んで通常のデコードを行う。一方、所定時間が未経過の受信復帰でｎｏｎ＿ＩＤＲフレームを受信した場合（ステップＳ８でＮＯ）、最後の映像に基づく表示及び当該映像を利用したデコード処理を行い（ステップＳ９，Ｓ１０）、ステップＳ８に進む。ステップＳ８からステップＳ１０の繰り返しのなかでＩＤＲフレームを受信できたときには（ステップＳ８でＹＥＳ）、ステップＳ１１に進んで通常のデコードを行う。
【００２９】
なお、上述した処理において、受信不能となった時点で表示部３６にはメモリ１４に保持されている映像データによる画像をとりあえず表示しておくこととしてもよい。このときの画像としては、受信不能等を示すメッセージ画像や図柄がよい。
【００３０】
また、上記の例では、受信不能状態となったときの最後の映像はフレームバッファメモリ５に格納されることとしたが、メモリ１４に格納してもよい。また、各チャンネルごとに受信不能状態となったときの最後の映像をメモリ１４に格納しておき、選局されたチャンネルについての最後の映像をメモリ１４から読み出して利用することとしてもよい。
【００３１】
また、上記の例では、放送波の受信状況が悪化したときにおける処理を示したが、放送受信機能の起動時やチャンネル切替時における映像表示不能期間において、最後の映像又は保持している映像データによる映像デコードを行ってもよい。かかる場合には、最後の映像はチャンネルごとに保持されるのがよい。例えば、チャンネル切替が行われたとき、フレームバッファメモリ５に保持されている映像をそのチャンネル（切替前）の映像データとしてメモリ１４に転送保持するように構成すればよい。
【００３２】
また、前記最後の映像は放送受信により得られるものには限らない。例えば、放送と同時的にＩＤＲフレームの提供を行うサイトがネットワーク上に存在していれば、そのようなサイトから最後の映像に相当するＩＤＲフレームを取得することができる。具体的には、前記サイトに接続するためのＵＲＬをメモリに記憶しておき、Ｗｅｂクライアント部として機能する前記制御部３１は、前記ＵＲＬをネットワーク上に送信することによって前記サイトからＩＤＲフレームを取得し、メモリ部３４或いはメモリ１４に書き込む。また、前記ＵＲＬの末尾等に任意のチャンネルの番号を付加することにより、任意のチャンネルにおけるＩＤＲフレームを取得することも可能である。
【００３３】
また、上記の例では、ＴＶ機能付き携帯電話として説明したが、携帯型或いは移動型のディジタル放送受信装置として構成してもよい。また、据え置き型の地上ディジタル放送受信装置としてもよい。
【図面の簡単な説明】
【００３４】
【図１】この発明の実施形態のＴＶ機能付き携帯電話を示したブロック図である。
【図２】この発明の実施形態のＴＶ機能付き携帯電話の放送受信部を示したブロック図である。
【図３】この発明の実施形態のＴＶ機能付き携帯電話の処理内容を示したフローチャートである。
【符号の説明】
【００３５】
１０    携帯電話
２０    ディジタル放送受信部
３０    電話機能部
３１    制御部
３２    無線通信部
【図１】
2006174209.tif 000003
【図２】
2006174209.tif 000004
【図３】
2006174209.tif 000005